(57)【特許請求の範囲】
【請求項１】
箱体を積み重ねる梱包構造体において、
箱体の側面に係止長孔を設けるとともに、
上下左右に一体に設けたフック部と、縦中心線に沿って折曲可能とする折り曲げ線とが形成される板状のジョイント部材を備え、
該ジョイント部材を箱体の側面及びコーナ部に添えて、上下左右のフック部を、積み重ねられた上下左右の箱体の係止長孔にそれぞれ差し込むことにより、箱体同士をジョイント部材で連結できるようにしたことを特徴とする、梱包構造体。
【請求項２】
ジョイント部材を樹脂で一体成型したことを特徴とする、請求項１に記載の梱包構造体。
【請求項３】
箱体の係止長孔の延長上に、部分的に切り起こすための切り込みを形成したことを特徴とする、請求項１、又は２に記載の梱包構造体。
【請求項４】
箱体の係止長孔の一辺に指掛け用切欠きを形成したことを特徴とする、請求項３に記載の梱包構造体。
【請求項５】
係止長孔を箱体の全ての側面に設けたことを特徴とする、請求項１、２、３、又は４に記載の梱包構造体。
【発明の詳細な説明】
【０００１】
【発明の属する技術分野】
この発明は、複写機、プリンタ等の電子機器や、中型、大型の一般機械、装置等（以下、機器類と総称する）を梱包する段ボール箱等の箱体を、パレット上で積み重なる梱包構造体に関する。
【０００２】
【従来の技術】
工場や倉庫等から上記のような機器類を出荷する際には、段ボール箱に梱包した機器類を、段ボールや木材等からなるパレット上に乗せた状態でフォークリフト等を用いて車両等に運搬する作業が行われている。その際、作業効率を上げて運搬費を節約するため、一つのパレット上に、多数の段ボール箱を、寄せ集めて何段も積み重ねた状態で運搬している。
【０００３】
しかし、図１に示すように、段ボール箱１同士をパレット２上に単に積み重ねただけでは、運搬途中に段ボール箱１がズレて、荷崩れが起こるので、一般には図２に示すように、段ボール箱１にストレッチフィルム３を巻き付けて、段ボール箱１の荷崩れを防止している。
【０００４】
ところが、ストレッチフィルム３は、自動的に巻き付けるには設備が必要である。手巻きの場合には、締め付け力等がバラつき、信頼性に欠ける。また、ストレッチフィルム３は、一度外すと再使用が困難であり、ゴミとして廃棄することになり、環境面でも問題がある。
【０００５】
そこで、特開平１０−１９４２６８号公報に開示された梱包構造体では、段ボール箱の底板に、係止穴を有するフラップを折曲自在に設けるとともに、段ボール箱の側面にも係止穴を設け、積み重ねた上側の段ボール箱のフラップを垂れ下げて下側の段ボール箱の側面に添え、上下の段ボール箱の一致した係止穴にジョイント用ビスを差し込んで、段ボール箱同士を連結するようにしている。
【０００６】
【発明が解決しようとする課題】
しかし、これによると、段ボール箱の底板に、係止穴を有するフラップを折曲自在に設けなければならないので、段ボール箱の製造コストが高くなる不利がある。
【０００７】
そのため、この発明の第１の目的は、段ボール箱等の箱体の製造コストを上げずに、単純なジョイント部材を用いて段ボール箱の荷崩れを簡単に防止できる梱包構造体を提供することにある。
【０００８】
第２の目的は、そのような梱包構造体において、同一のジョイント部材で二通りの使い方ができるようにすることにある。
【０００９】
第３の目的は、ジョイント部材を繰り返し使用できるようにすることにある。
【００１０】
第４の目的は、ジョイント部材を箱体から簡単に取り外すことができるようにすることにある。
【００１１】
第５の目的は、ジョイント部材を箱体から取り外す際の操作を容易にすることにある。
【００１２】
第６の目的は、箱体を積み重ねる際にその方向性を気にしなくとも良いようにすることにある。
【００１３】
【課題を解決するための手段】
請求項１の発明は、第１、２の目的を達成するため、箱体の側面に係止長孔を設けるとともに、上下左右に一体に設けたフック部と、縦中心線に沿って折曲可能とする折り曲げ線とが形成される板状のジョイント部材を備え、該ジョイント部材を箱体の側面及びコーナ部に添えて、上下左右のフック部を、積み重ねられた上下左右の箱体の係止長孔にそれぞれ差し込むことにより、箱体同士をジョイント部材で連結できるようにしたことを特徴とする。
【００１５】
請求項２の発明は、第３の目的を達成するため、ジョイント部材を樹脂で一体成型したことを特徴とする。
【００１６】
請求項３の発明は、第４の目的を達成するため、箱体の係止長孔の延長上に、部分的に切り起こすための切り込みを形成したことを特徴とする。
【００１７】
請求項４の発明は、第５の目的を達成するため、箱体の係止長孔の一辺に指掛け用切欠きを形成したことを特徴とする。
【００１８】
請求項５の発明は、第６の目的を達成するため、係止長孔を箱体の全ての側面に設けたことを特徴とする。
【００１９】
【発明の実施の形態】
次に、この発明の実施の形態を図面に従って詳細に説明する。
【００２０】
この発明による梱包構造体では、段ボール箱同士を連結するため、図３（Ａ）に示すように全体が板状のジョイント部材４を用いる。ジョイント部材４は、樹脂で一体成型され、背部４ａの上下左右に、同じ方向に直角に折曲した上下左右のフック部４ｂを一体に突出形成している。
【００２１】
背部４ａと各フック部４ｂとの間の角部の下側には欠如部４ｃが形成され、各フック部４ｂは、この欠如部４ｃのために『形となっている。また、背部４ａには、その縦中心線に沿ったＶ字細溝５による折り曲げ線６が形成され、この折り曲げ線６により、図３（Ｂ）に示すように背部４ａを縦中心で折り曲げることができるようになっている。
【００２２】
一方、図４に示すように、段ボール箱１には、各側面のそれぞれに、上下左右４個の係止長孔７が上下左右の各角部の近傍において形成されている。各係止長孔７は、図５に示すように縦長の長方形になっている。そして、各係止長孔７について、その上下２辺から一方へ延長させてコ字形の切り込み８を形成することにより、この切り込み８で囲まれた部分を切り起こすことができるようになっている。また、その切り起こしを容易にするため、各係止長孔７の一方の長辺に指掛け用切欠き９が形成されている。
【００２３】
よって、図４に示すように、パレット２上に寄せ集めて積み重ねた段ボール箱１同士をジョイント部材４により連結するには、図６（Ａ）から（Ｂ）に示すように、ジョイント部材４のフック部４ｂを係止長孔７に差し込んだ後、ジョイント部材４を押し下げる。これにより、フック部４ｂは『形であるため、係止長孔７の下辺に引っ掛かってロックされる。
【００２４】
この場合、積み重ねられた段ボール箱１の側面においては、ジョイント部材４の背部４ａを、図３（Ａ）に示すように展開した状態で使用し、その上側の左右のフック部４ｂは、図７に示すように、上側の段の左右の段ボール箱１の係止長孔７に差し込み、下側の左右のフック部４ｂは、下側の段の左右の段ボール箱１の係止長孔７に差し込む。
【００２５】
また、積み重ねられた段ボール箱１のコーナ部においては、ジョイント部材４の背部４ａを、図３（Ｂ）に示すように折り曲げた状態で使用し、その上側の左右のフック部４ｂは、図７に示すように、上側の段の同じ段ボール箱１の係止長孔７に差し込み、下側の左右のフック部４ｂは、下側の段の同じ段ボール箱１の係止長孔７に差し込む。
【００２６】
このように、ジョイント部材４で上下及び左右に連結された段ボール箱１は、互いに一体化された状態となり、荷崩れしない。
【００２７】
ジョイント部材４を段ボール箱１から外す場合には、図５において、指掛け用切欠き９に指を掛けて手前に引っ張り、切り込み８で囲まれた部分を切り起こすと、係止長孔７が拡張されるので、フック部４ｂを係止長孔７から容易に引き抜くことができる。
【００２８】
なお、ジョイント部材４は樹脂以外に、硬質の厚紙で作っても良い。
【００２９】
【発明の効果】
請求項１に係る発明によれば、ジョイント部材が板状で、それに一体に設けられたフック部を箱体の係止長孔に差し込むことにより、積み重ねられた箱体同士を連結できるので、段ボール箱等の箱体の製造コストを上げずに、単純なジョイント部材を用いて段ボール箱の荷崩れを簡単に防止できる。
【００３０】
請求項１に係る発明によれば、また、ジョイント部材の上下左右にフック部材を設け、ジョイント部材を縦中心線に沿って折曲可能にしたので、ジョイント部材の背部を展開した状態にして、上側の段の左右の箱体と下側の段の左右の箱体を連結する第１の使用形態と、ジョイント部材の背部を折り曲げた状態にして、コーナ部において上の段の箱体と下の段の箱体を連結する第２の使用形態の２様の使い方ができる。従って、同じジョイント部材を側面用とコーナ用の両方に使用できるため、部品管理がし易く、また部品コストを低減できる。
【００３１】
請求項２に係る発明によれば、ジョイント部材を樹脂で一体成型したので、ジョイント部材を繰り返し使用でき、環境に配慮した製品として提供できる。
【００３２】
請求項３に係る発明によれば、箱体の係止長孔の延長上に、部分的に切り起こすための切り込みを形成したので、切り起こすことにより係止長孔が拡張されるため、ジョイント部材を箱体から簡単に取り外すことができる。
【００３３】
請求項４に係る発明によれば、箱体の係止長孔の一辺に指掛け用切欠きを形成したので、切り起こしが容易になり、ジョイント部材を箱体から取り外す際の操作性が向上する。
【００３４】
請求項５に係る発明によれば、係止長孔を箱体の全ての側面に設けたので、箱体を積み重ねる際にその方向性を気にしなくとも良い。
【図面の簡単な説明】
【図１】段ボール箱をパレット上に単に積み重ねただけの荷積み状態を示す斜視図である。
【図２】段ボール箱にストレッチフィルムを巻き付けて荷崩れを防止する従来例を示す斜視図である。
【図３】この発明において使用するジョイント部材の斜視図で、（Ａ）はその背部を展開した状態、（Ｂ）は背部を折り曲げた状態である。
【図４】この発明における段ボール箱をパレット上に積み重ねた状態を示す斜視図である。
【図５】段ボール箱の一つの係止長孔と切り込みを示す斜視図である。
【図６】ジョイント部材のフック部を段ボール箱の係止長孔に差し込んでロックするまでの過程を示す斜視図で、（Ａ）は差し込む前の状態、（Ｂ）は差し込んだ状態、（Ｃ）はロックした状態である。
【図７】段ボール箱をパレット上に積み重ねてジョイント部材で連結した、この発明による荷積み状態を示す斜視図である。
【符号の説明】
１    段ボール箱
２    パレット
４    ジョイント部材
４ａ  背部
４ｂ  フック部
４ｃ  欠如部
５    Ｖ字細溝
６    折り曲げ線
７    係止長孔
８    切り込み
９    指掛け用切欠き
【図１】
0004493155.tif 000002
【図２】
0004493155.tif 000003
【図３】
0004493155.tif 000004
【図４】
0004493155.tif 000005
【図５】
0004493155.tif 000006
【図６】
0004493155.tif 000007
【図７】
0004493155.tif 000008